(57)【要約】      （修正有）【課題】開示された内容は流通や保管、または陳列の際に帽子にしわが入らず帽子が汚れにくく、透明材質で構成されているため包装状態で内部に収容されている帽子の色やデザイン等が簡単に確認できるよう作られた帽子ケースを提供する。【解決手段】帽子ケースは、帽子を収容した状態で帽子の外側を包むカバー(110);と、帽子の内側に挿入する補型体(120);、及び上記カバーと補型体を回転動作できるよう連結する連結部(130);を含めて達成する。【選択図】図２
0003117686.tif 000002
【実用新案登録請求の範囲】
【請求項１】
帽子ケースにおいて、帽子を収容した状態で帽子の外側を包むカバー(110);
帽子の内側に挿入される補型体(120);及び、
上記カバー(110)と補型体(120)を回転動作できるよう連結する連結部(130);を含む帽子ケース。
【請求項２】
上記カバー(110)は帽子(C)のクラウン部(C1)を収容する収容部(112)と、帽子(C)のひさし(C2)上部を保護するひさし用ふた(114)で構成され、
上記補型体(120)は帽子(C)のクラウン部(C1)内に挿入される挿入部(122)と、帽子(C)のひさし(C2)下部を支持するひさしかけ(124)で構成されることを特徴とする請求項１記載の帽子ケース。
【請求項３】
上記連結部(130)はフィルムヒンジで構成されることを特徴とする請求項１記載の帽子ケース。
【考案の詳細な説明】
【技術分野】
【０００１】
本考案は帽子ケースに関するもので、製品の流通や保管、または陳列の際に帽子にしわが入らず帽子が汚れにくく、透明材質で構成されているため包装状態で内部に収容されている帽子の色やデザイン等が簡単に確認できるよう作られた帽子ケースに関するものである。
【背景技術】
【０００２】
一般的に帽子は寒さや暑さから頭を保護したり使用者の趣味や個性によって様々なファッションを演出するためのファッション用、及びレジャー用、スポーツ用として広く使用されるものだ。
このような帽子はフレキシブルでソフトな素材で作られているため展示や包装及び保管の際、内部に別途の補型物を入れないと本来の形状を維持するのは難しい。
よって従来は帽子を陳列棚に陳列したり包装及び保管する際、単に帽子の内部に新聞紙や紙を丸めて帽子の形状を部分的に維持してきたが、このような従来の方法では構造的に帽子のクラウン部の形状を原型のまま正確に生かせないため商品性が大きく落ちるという問題点があり、帽子を包装したり保管する場合、帽子の形状が簡単に変形してしまうという問題点があった。
【考案の開示】
【考案が解決しようとする課題】
【０００３】
本考案は上記の問題点を解決するため案出されたもので、流通や保管、または陳列の際に帽子にしわが入らず帽子を汚れにくくする帽子ケースを提供することを目的とする。
また透明材質で構成されているため、包装状態で内部に収容されている帽子の色やデザイン等が簡単に確認できる帽子ケースを提供することにもその目的がある。
【課題を解決するための手段】
【０００４】
本考案は上記の問題を解決するため案出されたもので、帽子ケースに帽子を収容した状態で帽子の外側を包むカバー;と、帽子の内側に挿入される補型体;、及び上記カバーと補型体を回転動作できるよう連結する連結部;を含めた帽子ケースを提供することで達成する。
ここで上記カバーは、帽子のクラウン部を収容する収容部と帽子のひさし上部を保護するひさし用ふたで構成され、上記補型体は帽子のクラウン部の中に挿入される挿入部と帽子の下部を支持するひさしかけで構成されるのが望ましい。
また本考案帽子ケースの上記連結部はフィルムヒンジで構成されるのが望ましい。
【考案の効果】
【０００５】
上記で述べたように、本考案帽子ケースは流通過程や保管、または陳列の際に帽子にしわが入らず汚れを防ぐことで製品の展示効果と商品性を向上させ、帽子を包装したり保管する場合、帽子の形状が変形することを事前に防ぐ効果がある。
また透明材質で構成されているため、包装状態で内部に収容されている帽子の色やデザインなどを簡単に確認できる効果もある。
【考案を実施するための最良の形態】
【０００６】
以下、本考案帽子ケースの望ましい実施例を添付図面を参照し説明する。
【実施例１】
【０００７】
添付図面のうち、図1は本考案の帽子ケースの斜視図で、図2は本考案帽子ケースの開いた状態の斜視図だ。
上記図面で図示しているように、本考案帽子ケースは内側帽子(C)のクラウン部(C1)を収容する収容部(112)と帽子(C)のひさし(C2)上部を保護するひさし用ふた(114)で構成されるカバー(110)と、帽子(C)のクラウン部(C1)内に挿入される挿入部(122)と帽子(C)のひさし(C2)下部を支持するひさしかけ(124)で構成される補型体(120)、及び帽子(C)の外側を包むカバー(110)と帽子(C)の内側に挿入された補型体(120)の後端部を回転動作できるよう連結する連結部(130)で構成される。
ここで上記カバー(110)と補型体(130)は透明材質で構成され、上記カバー(110)と補型体(120)を連結する連結部(130)はフィルムヒンジで構成される。
【０００８】
以下、上記の構成を持つ本考案帽子ケースの作用を説明する。
添付図面のうち、図3は本考案帽子ケースの断面図で、図4は本考案帽子ケースの作用断面図だ。
上記図面で図示しているように、カバー(110)と補型体(130)の後端部はフィルムヒンジ(130)で連結され、カバー(110)の収容部(112)と補型体(120)の挿入部(122)の間とカバー(110)のひさし用ふた(114)と補型体(120)のひさしかけ(124)の間には所定の収容空間(a)が構成され、この収容空間(a)に帽子(C)が収容される。
つまり補型体(120)の挿入部(122)が帽子(C)のクラウン部(C1)内に挿入され、帽子(C)クラウン部(C1)の形状を維持しつつひさしかけ(124)が帽子(C)のひさし(C2)を支え、この帽子(C)の上側に補型体(120)とフィルムヒンジ(130)に連結されカバー(110)がフィルムヒンジ(130)を中心に回転動作し、カバー(110)の収容部(112)が帽子(C)のクラウン部(C1)の上側を覆い、カバー(110)のひさし用ふた(114)が帽子(C)のひさし(C2)の上側を覆い帽子(C)を保護する。
よって補型体(120)とカバー(110)の間におかれる帽子(C)は流通過程や物流保管、または売り場での展示など製造から販売及び保管までその形状を維持でき、カバー(110)が透明材質で構成されているためカバー(110)を取り除かず内部に収容されている帽子(C)のデザイン及び色を簡単に確認できる。
また帽子(C)の商品特性及び価格情報が書かれている商品タグをこのカバーの内側に入れることで、展示販売の際に商品タグが帽子から簡単に落ちてしまうことを防止する。
【図面の簡単な説明】
【０００９】
【図１】本考案帽子ケースの斜視図である。
【図２】本考案帽子ケースの開いた状態の斜視図である。
【図３】本考案帽子ケースの断面図である。
【図４】本考案帽子ケースの作用断面図である。
【符号の説明】
【００１０】
１１０  カバー    １１２  収容部    １１４  ひさし用ふた
１２０  補型体    １２２  挿入部    １２４  ひさしかけ
１３０  連結部
【図１】
0003117686.tif 000003
【図２】
0003117686.tif 000004
【図３】
0003117686.tif 000005
【図４】
0003117686.tif 000006